(57)【特許請求の範囲】
【請求項１】
相手方との間で直接通話可能な直通回線、及び外部電話回線と、構内に設けられたページング回線、該外部電話回線に接続された構内電話回線、及びスピーカ回線との、インタフェース制御を行う制御装置と、
構内の複数箇所に分散配置され、かつ前記ページング回線、前記構内電話回線、及び前記スピーカ回線にそれぞれ接続された複数の電話装置と、
前記各電話装置にそれぞれ接続され、前記スピーカ回線から該電話装置を介して送られてくる音声信号を音声に変換する複数のスピーカとを備え、
前記制御装置は、
前記直通回線に対する信号の受け渡しを行う第１のインタフェース手段と、
前記第１のインタフェース手段と前記ページング回線との間の信号の受け渡しを行うと共に、該ページング回線上の信号を検出してページング検出信号を出力する第２のインタフェース手段と、
前記直通回線から前記第１のインタフェース手段を介して送られてくる着信信号を検出して第１の着信検出信号を出力する第１の着信検出手段と、
前記第１の着信検出信号を入力すると、第１、第２及び第３の制御信号を出力し、前記ページング検出信号を入力すると、該第３の制御信号を出力する通信手順制御手段と、
前記第１の制御信号を入力すると、チャイム音信号を発生して前記第１のインタフェース手段へ出力するチャイム発生手段と、
前記第２の制御信号を入力すると、音声応答信号を発生して前記第１のインタフェース手段へ出力する音声応答手段と、
前記第３の制御信号を入力すると、オン状態になって前記第１のインタフェース手段上の音声信号を転送する音声転送手段と、
前記外部電話回線から送られてくる着信信号を検出して第２の着信検出信号を出力する第２の着信検出手段と、
前記音声転送手段のオン状態によりオン状態となって該音声転送手段から転送されてくる音声信号を増幅して前記スピーカ回線へ出力し、かつ前記第２の着信検出信号を入力すると、呼出し信号を増幅して該スピーカ回線へ出力する音声増幅手段とを備え、
前記各電話装置は、
構内放送を行うための第１のモード設定信号、スピーカ放送を断として通話を行いかつ前記直通回線への発信を行うための第２のモード設定信号、及び前記外部電話回線に対して着信と発信を行うための第３のモード設定信号を出力する機能を有すると共に、通話機能を有する無線式又は有線式の電話機と、
前記第１、第２又は第３のモード設定信号を入力すると、オン状態になって前記電話機と前記構内電話回線とを接続する電話機制御手段と、
前記第１又は第２のモード設定信号を入力すると、オン状態になって前記電話機と前記ページング回線との間の信号の受け渡しを行うページング・インタフェース手段と、
常時、前記スピーカ回線と前記スピーカとを接続し、前記電話機制御手段が前記第１のモード設定信号を入力すると、該スピーカ回線と該スピーカとを遮断するスピーカ制御手段とを備えたことを特徴とするページング装置。
【請求項２】
前記呼出し信号は、電子音発生手段で発生させた電子音である請求項１記載のページング装置。
【請求項３】
前記無線式の電話機は、電波によって相互通信を行う親機と子機で構成された請求項１記載のページング装置。
【発明の詳細な説明】
【０００１】
【発明の属する技術分野】
本発明は、発電所や変電所、あるいは工場や種々の工事現場等に設けられ、電話機を用いて音声呼出しを行うページング装置に関するものである。
【０００２】
【従来の技術】
発電所や変電所、あるいは工場や種々の工事現場等では、その作業現場が広範囲に分散していることが多い。そこで、構内一斉放送や、外部との業務連絡を行うために、ページング装置が設けられる。
従来のページング装置では、例えば、外部電話回線に接続された親電話機と、この親電話機に接続されて広範囲な作業箇所に分散配置された子電話機と、一斉呼出し用のスピーカシステムとを備えている。
この種のページング装置では、親電話機にて、外部電話回線からの着信に対する応答が所定の期間に亘って行われないとき、その外部電話回線に対して該外部電話回線からの一斉呼出しが可能な旨を自動的に音声応答する。その後、外部電話回線を一斉呼出し用のスピーカシステムに接続して、該外部電話回線から直接的にその一斉呼出しを行い得るようにし、この一斉呼出しに対して応答した子電話機に該外部電話回線を接続するようになっている。そのため、外部電話回線に接続された親電話機に常時連絡員が待機していなくても、広範囲な作業現場に分散した被呼者を呼出し、その被呼者との電話連絡をとることが可能になる。
【０００３】
【発明が解決しようとする課題】
しかしながら、従来のページング装置では、外部電話回線が１回線のため、この回線の使用中において、例えば緊急事態が発生して外部との間で緊急連絡をとろうとしても、連絡をとることができない。この対策として、外部電話回線の回線数を増やすことも考えられる。しかし、回線数を増やした場合、これらの回線間の競合を回避するために回線間に優先順位を設定したり、割込み機能等を設けなければならないので、回路構成が複雑になってコスト高になる。
また、スピーカシステムによって一斉呼出しを受けた被呼者は、作業現場から子電話機の設置場所に戻って通話しなければならないため、不利不便である。
本発明は、このような従来技術が持っていた課題を解決し、装置の回路構成を複雑化することなく、比較的簡単な回路構成でかつ低コストで、工事現場等の構内一斉放送や、外部との業務連絡の円滑化及び効率化が図れるページング装置を提供するものである。
【０００４】
【課題を解決するための手段】
本発明は、工事現場等に設けられるページング装置において、相手方との間で直接通話可能な直通回線、及び外部電話回線と、構内に設けられたページング回線、該外部電話回線に接続された構内電話回線、及びスピーカ回線との、インタフェース制御を行う制御装置と、構内の複数箇所に分散配置され、かつ前記ページング回線、前記構内電話回線、及び前記スピーカ回線にそれぞれ接続された複数の電話装置と、前記各電話装置にそれぞれ接続され、前記スピーカ回線から該電話装置を介して送られてくる音声信号を音声に変換する複数のスピーカとを備えている。
そして、前記制御装置は、前記直通回線に対する信号の受け渡しを行う第１のインタフェース手段と、前記第１のインタフェース手段と前記ページング回線との間の信号の受け渡しを行うと共に、該ページング回線上の信号を検出してページング検出信号を出力する第２のインタフェース手段と、前記直通回線から前記第１のインタフェース手段を介して送られてくる着信信号を検出して第１の着信検出信号を出力する第１の着信検出手段と、前記第１の着信検出信号を入力すると、第１、第２及び第３の制御信号を出力し、前記ページング検出信号を入力すると、該第３の制御信号を出力する通信手順制御手段と、前記第１の制御信号を入力すると、チャイム音信号を発生して前記第１のインタフェース手段へ出力するチャイム発生手段と、前記第２の制御信号を入力すると、音声応答信号を発生して前記第１のインタフェース手段へ出力する音声応答手段と、前記第３の制御信号を入力すると、オン状態になって前記第１のインタフェース手段上の音声信号を転送する音声転送手段と、前記外部電話回線から送られてくる着信信号を検出して第２の着信検出信号を出力する第２の着信検出手段と、前記音声転送手段のオン状態によりオン状態となって該音声転送手段から転送されてくる音声信号を増幅して前記スピーカ回線へ出力し、かつ前記第２の着信検出信号を入力すると、呼出し信号（例えば、電子音発生手段で発生させた電子音）を増幅して該スピーカ回線へ出力する音声増幅手段とを、備えている。
【０００５】
前記各電話装置は、構内放送を行うための第１のモード設定信号、スピーカ放送を断として通話を行いかつ前記直通回線への発信を行うための第２のモード設定信号、及び前記外部電話回線に対して着信と発信を行うための第３のモード設定信号を出力する機能を有すると共に、通話機能を有する無線式又は有線式の電話機（例えば、無線式の電話機は、電波によって相互通信を行う親機と子機で構成されている）と、前記第１、第２又は第３のモード設定信号を入力すると、オン状態になって前記電話機と前記構内電話回線とを接続する電話機制御手段と、前記第１又は第２のモード設定信号を入力すると、オン状態になって前記電話機と前記ページング回線との間の信号の受け渡しを行うページング・インタフェース手段と、常時、前記スピーカ回線と前記スピーカとを接続し、前記電話機制御手段が前記第１のモード設定信号を入力すると、該スピーカ回線と該スピーカとを遮断するスピーカ制御手段とを、備えている。
本発明によれば、以上のようにページング装置を構成したので、電話装置から構内放送を行う場合、該電話装置から第１のモード設定信号を出力し、電話機制御手段へ送る。すると、ページング・インタフェース手段、及びスピーカ制御手段がオン状態になる。ページング・インタフェース手段がオン状態になると、ページング回線を介して制御装置内の第２のインタフェース手段で該ページング・インタフェース手段のオン状態が検出され、そのページング検出信号が通信手順制御手段へ送られる。通信手順制御手段から第３の制御信号が出力され、音声転送手段がオン状態となり、音声増幅手段がオン状態になる。
【０００６】
電話装置からの音声は、電話機制御手段、ページング・インタフェース手段、ページング回線、制御装置内の第２のインタフェース手段、第１のインタフェース手段、及び音声転送手段へと送られ、音声増幅手段で増幅された後、スピーカ回線、及び電話装置内のスピーカ制御手段を介して複数のスピーカから一斉に放送される（但し、使用している電話装置では、オン状態のスピーカ制御手段によってスピーカ回線とスピーカとが遮断されているため、自分のスピーカからは放送されない）。
直通回線から着信があった場合、制御装置内の第１のインタフェース手段を介して第１の着信検出手段で検出され、その第１の着信検出信号が通信手順制御手段へ送られる。通信手順制御手段から第１、第２及び第３の制御信号が出力され、チャイム発生手段、音声応答手段、及び音声転送手段がオン状態になる。チャイム発生手段がオン状態になると、これから発生したチャイム音信号が第１のインタフェース手段、及び音声転送手段を介して音声増幅手段で増幅された後、スピーカ回線、及び電話装置内のスピーカ制御手段を介してスピーカからチャイム音が放送される。この時、音声応答手段から発生した音声応答信号が第１のインタエース手段及び直通回線を介して相手側へ音声メッセージが送られ、ページングになっていることを知らせる。直通回線の相手の声が制御装置内の第１のインタフェース手段、及び音声転送手段を介して音声増幅手段で増幅された後、スピーカ回線及び電話装置内のスピーカ制御手段を介してスピーカから放送される。被呼者が電話装置を取り上げれば、直通回線の相手方と通話が行える。
【０００７】
直通回線の相手方に発信する場合、電話機から第２のモード設定信号を出力し、電話機制御手段へ送る。すると、ページング・インタフェース手段がオン状態となり、これがページング回線を介して制御装置内の第２のインタフェース手段で検出される。そして、通信手順制御手段の第１の制御信号によってチャイム発生手段からチャイム音信号が発生し、これが第１のインタフェース手段及び直通回線を介して相手側へ送られる。この呼出しに応じて相手側が出たら、電話装置と相手側との間で通話が行える。
外部電話回線から着信があった場合、制御装置内の第２の着信検出手段で検出され、音声増幅手段がオン状態になる。音声増幅手段がオン状態になると、これから呼出し信号が出力され、スピーカ回線及び電話装置内のスピーカ制御手段を介してスピーカから放送される。被呼者が電話装置を取り上げ、第３のモード設定信号を出力すると、電話機制御手段によって構内電話回線がオン状態となり、外部電話回線側の相手方と通話が行える。
外部電話回線へ着信する場合、電話装置から第３のモード設定信号を出力する。この第３のモード設定信号によって電話機制御手段がオン状態となり、構内電話回線及び外部電話回線を介して相手側へ発信される。
【０００８】
【発明の実施の形態】
図１は、本発明の実施形態を示すページング装置の概略の構成図である。
このページング装置は、発電所や変電所、あるいは工場や種々の工事現場等に設けられるもので、相手方との間で直接通話可能な外部の直通回線（例えば、対共電回線）１、及び外部電話回線（例えば、プッシュホン回線からなる保安回線）２に接続された制御装置１０を有している。制御装置１０は、これに接続された構内のページング回線２１、構内電話回線（例えば、保安回線）２２、及びスピーカ回線２３と、外部の対共電回線１及び保安回線２とのインタフェース制御を行う装置である。構内の保安回線２２は、制御装置１０内で外部の保安回線２と接続されている。
構内の複数箇所には複数の無線式又は有線式の電話装置３０−１〜３０−Ｎが分散配置され、これらがページング回線２１、保安回線２２、及びスピーカ回線２３にそれぞれ接続されている。これらの電話装置３０−１〜３０−Ｎのうち、例えば、電話装置３０−１，３０−２，…は無線式の装置、及び電話装置３０−３，…，３０−Ｎは有線式の装置である。無線式の電話装置３０−１，３０−２，…は、これらに設けられた電話機が、例えば、コードレス電話親機とコードレス電話子機３１ｂ−１，３１ｂ−２，…とで構成されている。
各電話装置３０−１〜３０−Ｎには、スピーカ４０−１〜４０−Ｎがそれぞれ接続されている。各スピーカ４０−１〜４０−Ｎは、スピーカ回線２３から各電話装置３０−１〜３０−Ｎを介して送られてくる音声信号を音声に変換して放送するものである。
【０００９】
図２は、図１中の制御装置１０の概略の構成図である。
この制御装置１０は、対共電回線１及びページング回線２１に接続されページング制御機能を有するメイン回路１１と、外部の保安回線２に接続され音声信号の混合等を行う混合制御回路１２と、常時オン状態となって呼出し信号である電子音を発生する電子音発生手段（例えば、電子音発生回路）１３と、混合制御回路１２の出力信号を増幅してスピーカ回線２３へ出力する増幅器１４とを、備えている。
メイン回路１１は、対共電回線１に対する信号の受け渡しを行う第１のインタフェース手段であるライン・インタフェース回路１１ａを有している。ライン・インタフェース回路１１ａには、第１の着信検出手段である着信検出回路１１ｂと、チャイム発生手段であるチャイム発生回路１１ｃと、音声応答手段である音声応答回路１１ｄと、音声転送手段である音声転送回路１１ｅと、第２のインタフェース手段であるサブ・インタフェース回路１１ｆとが接続され、更にこれらの回路１１ｂ，１１ｃ，１１ｄ，１１ｅ，１１ｆに、通信手順制御手段である制御部１１ｇが接続されている。
【００１０】
着信検出回路１１ｂは、対共電回線１からライン・インタフェース回路１１ａを介して送られてくる着信信号Ｓ１を検出して第１の着信検出信号Ｓ１１ｂを制御部１１ｇへ出力する回路である。サブ・インタフェース回路１１ｆは、ライン・インタフェース回路１１ａとページング回線２１との間の信号の受け渡しを行うと共に、該ページング回線２１上の信号を検出してページング検出信号Ｓ１１ｆを制御部１１ｇへ出力する回路である。制御部１１ｇは、第１の着信検出信号Ｓ１１ｂを入力すると、第１、第２及び第３の制御信号Ｓ１１ｇ１，Ｓ１１ｇ２，Ｓ１１ｇ３を出力してチャイム発生回路１１ｃ、音声応答回路１１ｄ、及び音声転送回路１１ｅにそれぞれ与えると共に、ページング検出信号Ｓ１１ｆを入力すると、第３の制御信号Ｓ１１ｇ３を出力して音声転送回路１１ｅに与える機能を有し、ワンチップマイクロコンピュータ等で構成されている。
【００１１】
チャイム発生回路１１ｃは、第１の制御信号Ｓ１１ｇ１を入力すると、チャイム音信号Ｓ１１ｃを発生してライン・インタフェース回路１１ａへ出力する回路である。音声応答回路１１ｄは、第２の制御信号Ｓ１１ｇ２を入力すると、音声応答信号Ｓ１１ｄを発生してライン・インタフェース回路１１ａへ出力する回路である。音声転送回路１１ｅは、第３の制御信号Ｓ１１ｇ３を入力すると、オン状態になってライン・インタフェース回路１１ａ上の音声信号を混合制御回路１２へ転送する等の機能を有している。
混合制御回路１２は、外部の保安回線２から送られてくる例えば１６Ｈｚの着信信号Ｓ２を検出して第２の着信検出信号Ｓ１２ａを出力する第２の着信検出手段である着信検出回路１２ａと、この回路１２ａに接続された混合増幅器１２ｂとを有している。混合増幅器１２ｂは、音声転送回路１１ｅのオン状態によりオン状態となって該音声転送回路１１ｅから転送されてくる音声信号を増幅して増幅器１４へ出力し、かつ第２の着信検出信号Ｓ１２ａを入力すると、電子音発生回路１３で発生された電子音Ｓ１３を増幅して増幅器１４へ出力する回路である。この混合増幅器１２ｂ及び増幅器１４により、音声増幅手段が構成されている。
【００１２】
図３は、図１中の無線式の電話装置３０−１の概略の構成図である。
この電話装置３０−１は、コードレス電話親機３１ａ及びコードレス電話子機３１ｂ−１からなる電話機を有している。コードレス電話子機３１ｂ−１は、電話番号入力用のテンキー０，１，２，…，９を有すると共に、構内放送を行うための第１のモード設定信号Ｓ３１−１を出力するためのキー＊、スピーカ放送を断として通話を行いかつ対共電回線１への発信を行うための第２のモード設定信号Ｓ３１−２を出力するためのキー＃を有している。テンキー０，１，２，…，９のうちのキー０は、外部の保安回線２に対して着信及び発信を行うための第３のモード設定信号Ｓ３１−３を出力する機能も有している。
【００１３】
コードレス電話親機３１ａには、電話機制御手段である電話機制御部３２が接続されている。電話機制御部３２は、コードレス電話親機３１ａからの第１、第２、第３のモード設定信号Ｓ３１−１，Ｓ３１−２，Ｓ３１−３を入力すると、オン状態になって該コードレス電話親機３１ａと構内の保安回線２２とを接続する機能等を有ている。電話機制御部３２には、ページング・インタフェース手段であるページング・インタフェース回路３３と、スピーカ制御手段であるスピーカ制御部３４とが接続されている。ページング・インタフェース回路３３は、電話機制御部３２からの第１、第２のモード設定信号Ｓ３１−１，Ｓ３１−２を入力すると、オン状態になってコードレス電話親機３１ａとページング回線２１との間の信号の受け渡しを行う回路である。スピーカ制御部３４は、常時、スピーカ回線２３とスピーカ４０−１とを接続し、電話機制御部３２が第１のモード設定信号Ｓ３１−１を入力すると、該スピーカ回線２３と該スピーカ４０−１とを遮断する回路である。
なお、図１中の有線式の電話装置３０−３，…では、図３のコードレス電話親機３１ａ及びコードレス電話子機３１ｂ−１に代えて、有線式の電話機が設けられた構成になっている。
以上のように構成されるページング装置の動作例を以下、（Ａ）コードレス電話子機３１ｂ−１からの構内放送、（Ｂ）対共電回線１からの着信、（Ｃ）対共電回線１への発信、（Ｄ）保安回線２からの着信、及び（Ｅ）保安回線２への発信、に分けて説明する。
【００１４】
（Ａ）  コードレス電話子機３１ｂ−１からの構内放送
電話装置（例えば、３０−１）のコードレス電話子機３１ｂ−１から構内放送を行う場合、該コードレス電話子機３１ｂ−１を通話状態にしてキー＊を押す。キー＊を押すと、コードレス電話子機３１ｂ−１から第１のモード設定信号Ｓ３１−１が出力され、この信号Ｓ３１−１がコードレス電話親機３１ａで受信され、電話機制御部３２へ送られる。すると、ページング・インタフェース回路３３によってページング回線２１がオン状態になり、さらに、常時オン状態のスピーカ制御部３４がオフ状態になってスピーカ回線２３とスピーカ４０−１とが切離される。ページング回線２１がオン状態になると、これが制御装置１０内のサブ・インタフェース回路１１ｆで検出され、該サブ・インタフェース回路１１ｆからページング検出信号Ｓ１１ｆが制御部１１ｇへ出力される。制御部１１ｇは第３の制御信号Ｓ１１ｇ３によって音声転送回路１１ｅをオン状態にし、このオン状態によって混合増幅器１２ｂ及び増幅器１４がオン状態になる。
【００１５】
コードレス電話子機３１ｂ−１に音声を入力すると、この音声信号がコードレス電話親機３１ａで受信され、電話機制御部３２及びページング・インタフェース回路３３を介してページング回線２１へ送られる。ページング回線２１へ送られた音声信号は、制御装置１０内のサブ・インタフェース回路１１ｆで受信され、これがライン・インタフェース回路１１ａ及び音声転送回路１１ｅを介して、混合増幅器１２ｂ及び増幅器１４で増幅される。増幅された音声信号は、スピーカ回線２３を通して構内の電話装置３０−１〜３０−Ｎへ送られる。通話している電話装置３１−１では、スピーカ制御部３４によってスピーカ回線２３とスピーカ４０−１とが遮断されているが、その他の電話装置３０−２〜３０−Ｎでは、スピーカ回線２３とスピーカ４０−２〜４０−Ｎとが導通状態になっているので、コードレス電話子機３１ｂ−１からの声が構内のスピーカ４０−２〜４０−Ｎによって放送される。
【００１６】
スピーカ放送によって呼出された相手が、別の電話装置（例えば、３０−２）のコードレス電話子機３１ｂ−２を通話状態にしてキー＃を押す。すると、コードレス電話子機３１ｂ−２から第２のモード設定信号Ｓ３１−２が出力され、この信号Ｓ３１−２が電話装置３０−２内のコードレス電話親機で受信されて電話機制御部へ送られ、ページング・インタフェース回路によってページング回線２１がオン状態になる。ページング回線２１がオン状態になると、これが制御装置１０内のサブ・インタフェース回路１１ｆで検出され、該サブ・インタフェース回路１１ｆからページング検出信号Ｓ１１ｆが制御部１１ｇへ出力される。制御部１１ｇでは、第３の制御信号Ｓ１１ｇ３によって音声転送回路１１ｅをオフ状態にする。音声転送回路１１ｅがオフ状態になると、混合増幅器１２ｂ及び増幅器１４がオフ状態になり、スピーカ放送が停止し、電話装置３０−１と３０−２との間の通話となる。
なお、電話装置３０−１と３０−２との間の通話中に、他の電話装置（例えば、３０−３）の電話機を通話状態にしてキー＊または＃を押しても、電話装置３０−１と３０−２との間の通話への割込み通話となる。
全ての電話装置３０−１〜３０−Ｎの電話機をオフ状態にして通話状態を終了させることで、制御装置１０が待機状態になる。
【００１７】
（ｂ）  対共電回線１からの着信
対共電回線１から着信があり、例えば１６Ｈｚの着信信号Ｓ１が制御装置１０内のライン・インタフェース回路１１ａへ送られてくると、その着信信号Ｓ１が着信検出回路１１ｂで検出され、該着信検出回路１１ｂから着信検出信号Ｓ１１ｂが制御部１１ｇへ出力される。制御部１１ｇでは、誤着信防止のために例えば約６〜７秒間、着信検出信号Ｓ１１ｂが入力されることを確認する。制御部１１ｇは、約６〜７秒後に制御信号Ｓ１１ｇ１，Ｓ１１ｇ２，Ｓ１１ｇ３によってチャイム発生回路１１ｃ、音声応答回路１１ｄ及び音声転送回路１１ｅをオン状態にする。音声転送回路１１ｅがオン状態になると、混合増幅器１２ｂ及び増幅器１４がオン状態になる。
構内に対しては、チャイム発生回路１１ｃから発生したチャイム音信号Ｓ１１ｃが、ライン・インタフェース回路１１ａ及び音声転送回路１１ｅを介して、混合増幅器１２ｂ及び増幅器１４で増幅される。増幅されたチャイム音信号は、スピーカ回線２３を通して各電話装置３０−１〜３０−Ｎへ送られ、各スピーカ４０−１〜４０−Ｎからチャイム音が放送される。この時、対共電回線１の相手には、音声応答回路１１ｄから出力された音声応答信号Ｓ１１ｄにより、ライン・インタフェース回路１１ａ及び対共電回線１を介して、構内放送になっている旨のメッセージを送る。
【００１８】
次に、制御装置１０内の制御部１１ｇでは、制御信号Ｓ１１ｇ１，Ｓ１１ｇ２によってチャイム発生回路１１ｃ及び音声応答回路１１ｄをオフ状態にする。対共電回線１から送られてくる相手の声は、制御装置１０内のライン・インタフェース回路１１ａ及び音声転送回路１１ｅを介して、混合増幅器１２ｂ及び増幅器１４で増幅される。増幅された相手の声は、スピーカ回線２３を通して電話装置３０−１〜３０−Ｎへ送られ、スピーカ４０−１〜４０−Ｎから放送される。
制御装置１０内の制御部１１ｇで設定された時間（例えば、１０〜１５０秒間）内に、電話装置３０−１〜３０−Ｎによって誰も応答しなれけば、該制御部１１ｇの制御信号Ｓ１１ｇ３によって音声転送回路１１ｅがオフ状態となり、混合増幅器１２ｂ及び増幅器１４もオフ状態となる。これにより、ライン・インタフェース回路１１ａで接続していた対共電回線１を開放して構内放送が停止され、制御装置１０が待機状態になる。
【００１９】
前記設定された時間内に構内側の電話装置（例えば、３０−１）で応答する場合には、コードレス電話子機３１ｂ−１を通話状態にしてキー＃を押す。キー＃を押すと、コードレス電話子機３１ｂ−１から第２のモード設定信号Ｓ３１−２が出力され、この信号Ｓ３１−２がコードレス電話親機３１ａで受信されて電話機制御部３２へ送られ、ページング・インタフェース回路３３によってページング回線２１がオン状態になる。
ページング回線２１がオン状態になると、これが制御装置１０内のサブ・インタフェース回路１１ｆで検出され、ページング検出信号Ｓ１１ｆが制御部１１ｇへ出力される。制御部１１ｇでは、制御信号Ｓ１１ｇ３によって音声転送回路１１ｅをオフ状態にする。音声転送回路１１ｅがオフ状態になると、混合増幅器１２ｂ及び増幅器１４がオフ状態になり、スピーカ４０−１〜４０−Ｎによる構内放送が停止する。構内放送が停止すると、対共電回線１がライン・インタフェース回路１１ａ及びサブ・インタフェース回路１１ｆを介してページング回線２１と接続され、該対共電回線１の相手とコードレス電話子機３１ｂ−１で通話が行える。
【００２０】
なお、この通話中に、他の電話装置３０−２〜３０−Ｎの電話機を通話状態にし、キー＊または＃を押しても、この通話への割込み通話となる。
全ての電話装置３０−１〜３０−Ｎの電話機をオフ状態にして通話状態を終了させることで、制御装置１０が待機状態になる。
一方、前記（Ａ）のような電話装置３０−１と３０−２との間の構内通話中に、対共電回線１から着信があった時は、制御装置１０内の制御部１１ｇの制御信号Ｓ１１ｇ１，Ｓ１１ｇ２，Ｓ１１ｇ３によってチャイム発生回路１１ｃ、音声応答回路１１ｄ及び音声転送回路１１ｅがオフ状態になり、さらに該音声転送回路１１ｅのオフ状態によって混合増幅器１２ｂ及び増幅器１４もオフ状態になる。そして、対共電回線１からライン・インタフェース回路１１ａ及びサブ・インタフェース回路１１ｆを通して、構内通話中に対する割込み通話となる。その後、全ての電話装置３０−１〜３０−Ｎの電話機をオフ状態にして通話状態を終了させることで、制御装置１０が待機状態になる。
【００２１】
（Ｃ）  対共電回線１への発信
電話装置（例えば、３０−１）から対共電回線１へ発信する場合、コードレス電話子機３１ｂ−１を通話状態にしてキー＃を押す。すると、コードレス電話子機３１ｂ−１から第２のモード設定信号Ｓ３１−２が出力され、これがコードレス電話親機３１ａで受信されて電話機制御部３２へ送られ、ページング・インタフェース回路３３によってページング回線２１がオン状態になる。
ページング回線２１がオン状態になると、制御装置１０内のサーブ・インタフェース回路１１ｆがこれを検出し、ページング検出信号Ｓ１１ｆが制御部１１ｇへ出力される。制御部１１ｇでは、制御信号Ｓ１１ｇ１によってチャイム発生回路１１ｃをオン状態にする。チャイム発生回路１１ｃがオン状態になると、これから発生したチャイムオン信号Ｓ１１ｃが、ライン・インタフェース回路１１ａを介して対共電回線１へ送られ、相手を呼び出す。相手が出たら、ライン・インタフェース回路１１ａ及びサブ・インタフェース回路１１ｆを介して、コードレス電話子機３１ｂ−１と対共電回線１の相手との通話が行える。
【００２２】
なお、電話装置３０−１のコードレス電話子機３１ｂ−１から対共電回線１へ発信を行う時、他の電話装置３０−２〜３０−Ｎで制御装置１０を使用していると、たとえコードレス電話子機３１ｂ−１を通話状態にしてキー＃を押しても、該コードレス電話子機３１ｂ−１から対共電回線１への発信にはならず、その通話への割込み通話となる。また、電話装置３０−１のコードレス電話子機３１ｂ−１から対共電回線１へ発信し、この通話中に、他の電話装置３０−２〜３０−Ｎの電話機を通話状態にしてキー＊または＃を押しても、この通話への割込み通話となる。
全ての電話装置３０−１〜３０−Ｎの電話機をオフ状態にして通話状態を終了させることで、制御装置１０が待機状態になる。
【００２３】
（Ｄ）  保安回線２からの着信
外部の保安回線２から着信があり、例えば１６Ｈｚの着信信号Ｓ２が制御装置１に送られてくると、この着信信号Ｓ２が着信検出回路１２ａで検出され、着信検出信号Ｓ１２ａが出力される。この着信検出信号Ｓ１２ａにより、混合増幅器１２ｂ及び増幅器１４がオン状態になる。すると、電子音発生回路１３から発生した電子音Ｓ１３が、相手のインターバルに合わせて混合増幅器１２ｂ及び増幅器１４で増幅される。増幅された電子音は、スピーカ回線２３及び電話装置３０−１〜３０−Ｎを介して、スピーカ４０−１〜４０−Ｎから構内放送される。
構内の電話装置３０−１〜３０−Ｎで誰も応答しない時、保安回線２の相手からの着信信号Ｓ２が停止すると、これが着信検出回路１２ａで検出され、着信検出信号Ｓ１２ａによって混合増幅器１２ｂ及び増幅器１４がオフ状態となり、電子音Ｓ１３のスピーカ４０−１〜４０−Ｎからの放送が停止して終了となる。
保安回線２からの着信に対して電話装置（例えば、３０−１）で応答する場合、コードレス電話子機３１ｂ−１のキー０を押す。キー０を押すと、コードレス電話子機３１ｂ−１から第３のモード設定信号Ｓ３１−３が出力され、この信号Ｓ３１−３がコードレス電話親機３１ａで受信されて電話機制御部３２へ送られ、構内の保安回線２２がオン状態になる。
【００２４】
構内の保安回線２２がオン状態になると、これに直接接続された外部の保安回線２からの着信信号Ｓ２が停止するので、この停止が着信検出回路１２ａで検出され、該着信検出回路１２ａから出力される着信検出信号Ｓ１２ａによって混合増幅器１２ｂ及び増幅器１４がオフ状態となり、スピーカ４０−１〜４０−Ｎからの電子音の放送が停止する。そして、保安回線２で呼出された相手の電話装置３０−１との通話が行える。
なお、この通話中に、他の電話装置３０−２〜３０−Ｎの電話機を通話状態にしてキー０を押しても、この通話への割込み通話となる。
全ての電話装置３０−１〜３０−Ｎの電話機をオフ状態にして通話状態を終了させることで、制御装置１０が待機状態になる。
【００２５】
（Ｅ）  保安回線２への発信
電話装置（例えば、３０−１）から外部の保安回線２へ発信する場合、コードレス電話子機３１ｂ−１を通話状態にしてキー０を押す。キー０を押すと、コードレス電話子機３１ｂ−１から第３のモード設定信号Ｓ３１−３が出力され、これがコードレス電話親機３１ａで受信されて電話機制御部３２へ送られ、構内の保安回線２２がオン状態になる。
コードレス電話子機３１ｂ−１によって保安回線２の発信音が聞こえるので、この発信音を確認の上でテンキーによって相手番号を押し、相手を呼出す。相手が出たら、保安回線２，２２を通して通話が行える。
なお、この通話中に、他の電話装置３０−２〜３０−Ｎの電話機を通話状態にしてキー０を押しても、この通話への割込み通話となる。また、他の電話装置３０−２〜３０−Ｎと対共電回線１との間で通話中でも、電話装置３０−１のコードレス電話子機３１ｂ−１での保安回線２に対する発信又は着信操作が可能である。
全ての電話装置３０−１〜３０−Ｎの電話機をオフ状態にして通話状態を終了させることで、制御装置１０が待機状態になる。
【００２６】
以上のように、この実施形態では、次の（ｉ）〜（iii)のような利点がある。
（ｉ）  外部に対して対共電回線１及び保安回線２の２回線が設けられているため、一方の回線１又は２の使用中においても、他の回線２又は１で連絡をとることができるので、緊急事態の発生等の際に外部との間で緊急連絡をとることができる。その上、回線数が２回線であっても、メイン回路１１によって混合制御回路１２を制御する構成になっているので、制御装置１０の回路構成が簡単になり、低コスト化が可能になる。
（ii）  構内回線に無線式の電話装置３０−１，３０−２，…を接続している。これらの無線式の電話装置３０−１，３０−２，…の電話機において、コードレス電話子機３１ｂ−１，３１ｂ−２，…はコードレス電話親機３１ａ，…と対になっているので、そのコードレス電話親機３１ａ，…の電波エリア（例えば、約４００ｍ）を外れると、そのコードレス電話子機３１ｂ−１，３１ｂ−２，…を使用できなくなる。また、コードレス電話子機（例えば、３１ｂ−１）がコードレス電話親機３１ａにアクセス（通話状態）している時に、そのコードレス電話親機３１ａに属するコードレス電話子機３１ｂ−１（複数のコードレス電話子機がある時にはそれら全て）が使用できなくなる。
【００２７】
このように無線式の電話装置３０−１，３０−２にはわずかな短所があるものの、このような無線式の電話装置３０−１，３０−２，…を設けることにより、従来は作業現場から電話装置の設置場所に戻って通話しなければならなかったが、その作業現場で作業しながら通話することができるので、使い勝手が向上する。
（iii)  保安回線２からの着信時に、電子音発生回路１３から発生した電子音Ｓ１３が混合増幅器１２ｂ及び増幅器１４で増幅され、該保安回線２の相手のインターバルに合わせて増幅された電子音がスピーカ４０−１〜４０−Ｎから放送されるので、騒音下の作業現場においても保安回線２の着信を確実に知らせることができる。
【００２８】
なお、本発明は上記実施形態に限定されず、種々の変形が可能である。この変形例としては、例えば次の（ａ），（ｂ）のようなものがある。
（ａ）  対共電回線１は他の直通回線に置換えても良い。また、外部の保安回線２は、他のディジタル回線やダイヤル回線等の外部電話回線に置換えても良い。
（ｂ）  図２の制御装置１０及び図３の電話装置３０−１は、他の回路構成に変更することも可能である。
【００２９】
【発明の効果】
以上詳細に説明したように、本発明によれば、制御装置によって外部の直通回線及び外部電話回線と構内のページング回線、構内電話回線及びスピーカ回線とをインタフェース制御するようにしたので、直通回線あるいは外部電話回線の一方が使用中でも、他の回線によって外部との連絡をとることができる。これにより、工事現場等の構内一斉放送、及び外部との業務連絡の円滑化と効率化を向上できる。しかも、直通回線と外部電話回線の２回線を設けたにも拘らず、制御装置の回路構成が比較的簡単であるため、ページング装置の低コスト化が可能になる。
呼出し信号として電子音発生手段で発生させた電子音を用いる場合、これを音声増幅手段で増幅してスピーカで放送するため、騒音下の作業現場等においても、確実に外部電話回線からの着信を知ることができる。
構内の回線に無線式の電話機を設けているので、スピーカシステムによって一斉呼出しを受けた被呼者は、作業現場で作業をしながら通話することができる。これにより、使い勝手が向上する。
【図面の簡単な説明】
【図１】本発明の実施形態を示すページング装置の構成図である。
【図２】図１中の制御装置１０の構成図である。
【図３】図１中の電話装置３０−１の構成図である。
【符号の説明】
１                          対共電回線
２，２２                    保安回線
１０                        制御装置
１１                        メイン回路
１１ａ                      ライン・インタフェース回路
１１ｂ，１２ａ              着信検出回路
１１ｃ                      チャイム発生回路
１１ｄ                      音声応答回路
１１ｅ                      音声転送回路
１１ｆ                      サブ・インタフェース回路
１２                        混合制御回路
１２ｂ                      混合増幅器
１３                        電子音発生回路
１４                        増幅器
２１                        ページング回線
２３                        スピーカ回線
３０−１，３０−２          無線式の電話装置
３０−３，３０−Ｎ          有線式の電話装置
３１ｂ−１，３１ｂ−２      コードレス電話子機
３１ａ                      コードレス電話親機
３２                        電話機制御部
３３                        ページング・インタフェース回路
３４                        スピーカ制御部
４０−１〜４０−Ｎ          スピーカ
【図１】
0003650494.tif 000002
【図２】
0003650494.tif 000003
【図３】
0003650494.tif 000004